(57)【特許請求の範囲】
【請求項１】
遊技島に固定される略矩形状の外枠と、該外枠に対しヒンジ金具により開閉可能に取り付けられる本体枠と、該本体枠の前面に対しヒンジを介して開閉可能に取り付けられるガラス扉とを備え、前記本体枠には外枠に対して本体枠を施錠可能であると共に、本体枠に対してガラス扉を施錠可能な施錠機構を備えるパチンコ遊技機において、
ガラス扉は、施錠機構の鍵穴に差し込まれた鍵の一部分と干渉してガラス扉の開放を規制する規制部材を備え、該規制部材は、ガラス扉の開放を規制する第１の姿勢と、ガラス扉の開放規制を解除し、ガラス扉の開放を許容する第２の姿勢との間で姿勢変更可能となっていることを特徴とするパチンコ遊技機。
【請求項２】
規制部材は、施錠機構の鍵穴に差し込まれた鍵の操作部と干渉する係止部を備え、
ガラス扉は、規制部材が第１の姿勢のときに、その開閉方向において鍵の操作部と係止部とが干渉することで、開放が規制される請求項１に記載のパチンコ遊技機。
【請求項３】
遊技島に固定される略矩形状の外枠と、該外枠に対しヒンジ金具により開閉可能に取り付けられる本体枠と、該本体枠の前面に対しヒンジを介して開閉可能に取り付けられるガラス扉とを備え、前記本体枠には外枠に対して本体枠を施錠可能であると共に、本体枠に対してガラス扉を施錠可能な施錠機構を備えるパチンコ遊技機において、
本体枠は、施錠機構の鍵穴に差し込まれた鍵の一部分と干渉し、ガラス扉の開放を規制する規制部材を備え、該規制部材は、ガラス扉の開放を規制する第１の姿勢と、ガラス扉の開放規制を解除し、ガラス扉の開放を許容する第２の姿勢との間で姿勢変更可能となっていることを特徴とするパチンコ遊技機。
【請求項４】
規制部材は、ガラス扉の開閉方向においてガラス扉の一部と干渉し、且つ、その姿勢変更方向において施錠機構に備えられる鍵穴に差し込まれた鍵の挿入部と干渉する係止部を備え、
第１の姿勢のときに、係止部がガラス扉の一部と干渉することで、ガラス扉の開放を規制し、且つ、係止部が鍵の挿入部に干渉することで、第１の姿勢が維持される請求項３に記載のパチンコ遊技機。
【請求項５】
規制部材が第２の姿勢を維持するように該規制部材を保持する保持手段を備える請求項１〜４のいずれか１項に記載のパチンコ遊技機。
【発明の詳細な説明】
【技術分野】
【０００１】
本発明は、パチンコホールなどの遊技場に設置されるパチンコ遊技機の施錠装置の改良にかかり、特に、外枠に対して開閉可能に取り付けられた本体枠を前方へ開放している状態において、本体枠の前面に開閉可能に取り付けたガラス扉が不正に開放されるのを防止する機能を備えたパチンコ遊技機に関する。
【背景技術】
【０００２】
パチンコ遊技機は、遊技島に取り付けられる略矩形の木製の外枠と、この外枠によりヒンジ金具を介して開閉可能に支持され、前面にて遊技盤を保持する本体枠と、該本体枠の前面にヒンジを介して開閉可能に保持され、前記遊技盤の盤面を正面から視認可能な窓を備えたガラス扉（前枠）と、外枠に対して本体枠を施錠可能とすると共に、本体枠に対してガラス扉を施錠可能とする施錠機構とを備えている。
【０００３】
施錠機構は、施錠位置と開錠位置との間を上下に移動できるように設けられた細長い板状の可動部材と、鍵の操作に連動してフック体を上下動させるカム片を有するシリンダー錠と、可動部材が施錠位置に移動した際にその可動部材の上下に一体形成された係止爪と係合する可動係止爪とを備えている。シリンダー錠の表面には、鍵穴が形成されると共に、その内面の軸部には、カム片が形成されている。また、フック体には、その略中央にカム片が当接するようにカム係合部が形成されており、フック体の上下にはこれを常時下方に付勢させるスプリングが取り付けられている。
【０００４】
そして、施錠機構は、シリンダー錠の鍵穴に差し込んだ鍵の操作によってカム片が回動すると、カム片が可動部材のカム係合部を押上げ、可動部材は、スプリングの付勢力に抗して上方に移動する。このとき係止爪は、可動係止爪との係合が解除される解錠位置に移動する。また鍵を鍵穴から引き抜くと、可動部材は、スプリングの付勢力により押し下げられ、カム係合部の下動に伴ってカム片を初期位置に回動させ、また係止爪は、可動係止爪と係合する施錠位置に移動する。
【０００５】
すなわち、施錠機構は、鍵をシリンダー錠の鍵穴に差し込み、鍵を一方方向（例えば、時計回り、すなわち右回り）に回転操作すると、外枠と本体枠とが開錠して、本体枠を外枠から前方へ開放することができる。また、施錠機構は、鍵を他方方向（例えば、反時計回り、すなわち左回り）に回転操作すると、本体枠とガラス扉とが開錠して、ガラス扉の開放が可能になる。そして、これらの回転操作は、それぞれ個別に行うことができるようになっている（特許文献１の［従来技術］を参照）。
【先行技術文献】
【特許文献】
【０００６】
【特許文献１】特公平  ７−  ４４９６８号公報
【発明の概要】
【発明が解決しようとする課題】
【０００７】
ところで、ホール営業中に遊技機のメンテナンスを行う場合、ホールの従業員は、本体枠の施錠機構の鍵穴に鍵を差し込み、本体枠を開錠して前方へ開放すると共に、鍵穴に鍵を差し込んだまま、本体枠背面の球通路の玉詰まり解消や、遊技島内の球供給樋の玉詰まり解消などのメンテナンスを行う場合が多い。
【０００８】
このとき、ホール従業員がメンテナンス作業に意識を集中している場合は、鍵に対する注意力が低下する。このような状況下で、遊技機を前に着席している遊技者が従業員の目を盗んで鍵を操作し、本体枠の前面のガラス扉を不正開放すると、遊技盤面に対する不正行為を容易に行える状態となる。
【０００９】
このような不正行為を予防するため、メンテナンス時に、従業員は、遊技機の本体枠とガラス扉の上部に片方の手を添え、もう一方の手で遊技機の背面や遊技島の内部のメンテナンスを行って、ガラス扉が不正に開放されてもすぐに判るようにする場合もあるが、メンテナンスが片手動作になるため、極めて非効率である。
【００１０】
なお、本体枠を外枠から前方へ開放してメンテナンスを行う場合には、その都度、鍵を鍵穴から引き抜いて作業を行うよう従業員に指導しているホールもあるが、従業員が鍵を抜き忘れた場合には、前述のような不正開錠を誘発するおそれがある。
【００１１】
一方、現行のパチンコ遊技機の中には、これを予防するために、パチンコ遊技機のガラス扉を本体枠の鍵穴の前面を塞ぐ形状に変更すると共に、この部分に鍵の先端部分は通過するが操作部（頭部）が通過しない大きさの透孔を設けている場合がある。すなわち、このパチンコ遊技機では、ガラス扉を開放する場合に、鍵をガラス扉に設けた透孔を通じて鍵穴に差し込み開錠方向へ回した後、鍵を鍵穴から引き抜いてガラス扉を開放するようになっている。
【００１２】
しかし、ガラス扉を本体枠から前方に開放し、遊技盤の盤面に備えられている障害釘の間の玉詰まりや入賞口の入り口付近の玉詰まり解消のために行うメンテナンス作業など、試し打ちと調整とを繰り返し行うためにガラス扉を何度も開閉操作する必要がある場合には、その都度、鍵穴に対して鍵を抜き差ししなければならず、作業が極めて煩雑になり作業効率が低下する問題がある。
【００１３】
本発明はこのような実情に鑑みてなされたものであり、ホール従業員が鍵を本体枠の施錠機構の鍵穴に差し込んだまま、本体枠の裏側のメンテナンスを行っている場合に、遊技者が鍵穴に挿入された鍵を操作してガラス扉を不正に開放することを防止できるようにしたパチンコ遊技機を提供することを課題とする。
【課題を解決するための手段】
【００１４】
本発明に係るパチンコ遊技機は、遊技島に固定される略矩形状の外枠と、該外枠に対しヒンジ金具により開閉可能に取り付けられる本体枠と、該本体枠の前面に対しヒンジを介して開閉可能に取り付けられるガラス扉とを備え、前記本体枠には外枠に対して本体枠を施錠可能であると共に、本体枠に対してガラス扉を施錠可能な施錠機構を備えるパチンコ遊技機において、ガラス扉は、施錠機構の鍵穴に差し込まれた鍵の一部分と干渉してガラス扉の開放を規制する規制部材を備え、該規制部材は、ガラス扉の開放を規制する第１の姿勢と、ガラス扉の開放規制を解除し、ガラス扉の開放を許容する第２の姿勢との間で姿勢変更可能となっていることを特徴とする。
【００１５】
かかる構成によれば、規制部材が第１の姿勢に位置しているとき、ホールの従業員が鍵穴に鍵を差し込み、外枠と本体枠とを開錠して本体枠を前方へ開放したとしても、ガラス扉に取り付けられた規制部材は、鍵穴に差し込まれる鍵と干渉することで本体枠からのガラス扉の開放を規制する。
【００１６】
したがって、ホール従業員が鍵穴に鍵を差し込んだまま、遊技機の背面等のメンテナンス作業を行う場合でも、遊技者が鍵穴に差し込まれたままの鍵を操作して、ガラス扉を不正に開放することを防止することができる。
【００１７】
一方、規制部材を第２の姿勢に位置させた状態で鍵穴に鍵を差し込む場合には、本体枠とガラス扉との開放規制が解除され、ガラス扉を本体枠の前面から開放することが可能となる。すなわち、規制部材はその姿勢を変更するだけで、本体枠に対してガラス扉の開閉を規制する規制状態と、本体枠に対してガラス扉の開閉を許容し、開放規制が解除される規制解除状態とを切り替えることができる。したがって、従業員がガラス扉を開閉操作するときに、規制部材を第２の姿勢に位置させるだけで、鍵穴に鍵を挿入したままガラス扉を自由に開閉操作することができる。
【００１８】
また、本発明に係るパチンコ遊技機の規制部材は、施錠機構の鍵穴に差し込まれた鍵の操作部と干渉する係止部を備え、ガラス扉は、規制部材が第１の姿勢のときに、その開閉方向において鍵の操作部と係止部とが干渉することで、開放が規制されることが好ましい。かかる構成によれば、規制部材は、鍵穴に差し込まれた鍵の挿入部が係止部に係止されることによって、規制部材の姿勢変更が規制され、第１の姿勢を維持するとともに、ガラス扉の開閉方向において鍵の操作部と干渉してガラス扉の開放を規制することができる。
【００１９】
また、本発明に係るパチンコ遊技機は、遊技島に固定される略矩形状の外枠と、該外枠に対しヒンジ金具により開閉可能に取り付けられる本体枠と、該本体枠の前面に対しヒンジを介して開閉可能に取り付けられるガラス扉とを備え、前記本体枠には外枠に対して本体枠を施錠可能であると共に、本体枠に対してガラス扉を施錠可能な施錠機構を備えるパチンコ遊技機において、本体枠は、施錠機構の鍵穴に差し込まれた鍵の一部分と干渉し、ガラス扉の開放を規制する規制部材を備え、該規制部材は、ガラス扉の開放を規制する第１の姿勢と、ガラス扉の開放規制を解除し、ガラス扉の開放を許容する第２の姿勢との間で姿勢変更可能となっていることを特徴とする。
【００２０】
かかる構成によれば、規制部材が第１の姿勢に位置しているとき、ホールの従業員が鍵穴に鍵を差し込み、外枠と本体枠とを開錠して本体枠を前方へ開放したとしても、本体枠に取り付けられた規制部材は、鍵穴に差し込まれる鍵と干渉することでその姿勢が維持されると共に、ガラス扉とその開閉方向において干渉しガラス扉の開放を規制する。したがって、ホール従業員が鍵穴に鍵を差し込んだまま、遊技機の背面等のメンテナンス作業を行う場合で遊技者が鍵穴に差し込まれたままの鍵を操作して、ガラス扉を不正に開放することを防止することができる。
【００２１】
一方、規制部材が第２の姿勢に位置させた状態で鍵穴に鍵を差し込む場合には、本体枠とガラス扉との開放規制が解除され、ガラス扉を本体枠の前面から開放することが可能となる。すなわち、規制部材はその姿勢を変更するだけで、本体枠に対してガラス扉の開閉を規制する規制状態と、本体枠に対してガラス扉の開閉を許容し、開放規制が解除される規制解除状態とを切り替えることができる。したがって、従業員がガラス扉を開閉操作するときに、規制部材を第２の姿勢にすれば、鍵穴に鍵を挿入したままガラス扉を自由に開閉操作することができる。
【００２２】
また、本発明に係るパチンコ遊技機の規制部材は、ガラス扉の開閉方向においてガラス扉の一部と干渉し、且つ、その姿勢変更方向において施錠機構に備えられる鍵穴に差し込まれた鍵の挿入部と干渉する係止部を備え、第１の姿勢のときに、係止部がガラス扉の一部と干渉することで、ガラス扉の開放を規制し、且つ、係止部が鍵の挿入部に干渉することで、第１の姿勢が維持されることが好ましい。かかる構成によれば、規制部材は、第１の姿勢のときに、本体枠に取り付けられた施錠機構の鍵穴に鍵を差し込むことによって、第１の姿勢を維持しつつガラス扉と係止部とを開閉方向において干渉させることでガラス扉の開放を規制することができる。
【００２３】
また、本発明に係るパチンコ遊技機は、規制部材が第２の姿勢を維持するように該規制部材を保持する保持手段を備えることが好ましい。かかる構成によれば、保持手段は、第２の姿勢、すなわち、ガラス扉の開放規制を解除し、本体枠からガラス扉の開放を許容する状態を維持することができる。よって、保持手段の作用により、規制部材が不測のときに第２の姿勢から第１の姿勢に姿勢変更することがなく、従業員がガラス扉を開閉操作しつつ遊技盤面等のメンテナンスをする場合には、鍵穴に鍵を差し込んだままガラス扉を自由に開閉させることができる。
【発明の効果】
【００２４】
本発明によれば、ホール従業員が鍵を施錠機構の鍵穴に差し込んだまま、本体枠の裏側や遊技島の内部のメンテナンスを行っている場合に、遊技者が鍵穴に挿入された鍵を操作してガラス扉を不正に開放することを防止できる。
【図面の簡単な説明】
【００２５】
【図１】本発明の第１実施形態に係るパチンコ遊技機の正面図を示す。
【図２】ガラス扉が本体枠に対して閉じた状態で、本体枠を外枠から前方へ開放した状態を示す同実施形態に係るパチンコ遊技機の正面図を示す。
【図３】本体枠を外枠から前方へ開放すると共に、ガラス扉を本体枠から更に前方へ開放した状態を示す同実施形態に係るパチンコ遊技機の正面図を示す。
【図４】同実施形態に係るパチンコ遊技機における施錠機構の縦断面図を示す。
【図５】同実施形態に係るパチンコ遊技機のガラス扉の背面に設けられる補強板を背面側から見た斜視図を示す。
【図６】同実施形態に係るパチンコ遊技機の施錠機構の説明図であって、（ａ）は同施錠機構の正面図、（ｂ）は同施錠機構の側面図、（ｃ）は同施錠機構の背面図、を示す。
【図７】（ａ）は、同実施形態に係るパチンコ遊技機の規制部材をパチンコ遊技機の正面から見た正面拡大図、及び（ｂ）は、同規制部材をパチンコ遊技機の側面で切った断面拡大図、を示す。
【図８】（ａ）は、本発明の第２実施形態に係るパチンコ遊技機の規制部材をパチンコ遊技機の正面から見た正面拡大図、及び（ｂ）は、同規制部材をパチンコ遊技機の側面で切った断面拡大図、を示す。
【図９】（ａ）は、本発明の第３実施形態に係るパチンコ遊技機の規制部材をパチンコ遊技機の正面から見た正面拡大図、及び（ｂ）は、本発明の第４実施形態に係るパチンコ遊技機の規制部材をパチンコ遊技機の正面から見た正面拡大図、を示す。
【図１０】（ａ）は、本発明の他の実施形態に係るパチンコ遊技機の規制部材をパチンコ遊技機の正面から見た正面拡大図、及び（ｂ）は、同規制部材をパチンコ遊技機の側面で切った断面拡大図、を示す。
【発明を実施するための形態】
【００２６】
以下に、本発明に係るパチンコ遊技機の第１実施形態について、図面を参酌しつつ、説明する。
【００２７】
＜第１実施形態＞
まず、第１実施形態に係るパチンコ遊技機の構成について、図１〜図３を参酌しつつ、説明する。同実施形態に係るパチンコ遊技機は、木製の略矩形の外枠１と、該外枠１に対して開放可能に取り付けられる本体枠２と、該本体枠２に対して開放可能に取り付けられるガラス扉３と、外枠１に対して本体枠２を施錠可能にすると共に、本体枠２に対してガラス扉３を施錠可能な施錠機構４と、本体枠２からガラス扉３の開放を規制する規制部材５と、該規制部材５の姿勢を保持するための保持手段とを備えている。
【００２８】
なお、図１〜図３は、同実施形態に係るパチンコ遊技機の正面図である。図１に示すパチンコ遊技機は、外枠１に対して本体枠２が閉鎖（若しくは施錠）され、且つ本体枠２に対してガラス扉３が閉鎖（若しくは施錠）されている状態を示している。また、図２に示すパチンコ遊技機は、本体枠２からガラス扉３が開放されるのを規制部材５によって規制している。よって、このパチンコ遊技機は、本体枠２に対してガラス扉３が閉鎖されている状態を示している。図３に示すパチンコ遊技機は、本体枠２からガラス扉３が開放されるのを規制部材５によって邪魔されないよう規制解除している。よって、このパチンコ遊技機は、本体枠２からガラス扉３が前方へ開放されている状態を示している。
【００２９】
また、図２及び図３に示すパチンコ遊技機は、外枠１から本体枠２を前方へ開放している状態を示している。すなわち、この状態のパチンコ遊技機は、ホールの従業員によって、遊技島の内側若しくは本体枠２の背面等のメンテナンス作業を行える状態にある。図３に示すパチンコ遊技機は、開かれた本体枠２からガラス扉３が更に前方へ開放されている状態を示している。従って、この状態のパチンコ遊技機は、従業員によって、遊技盤の遊技盤面のメンテナンス作業を行える状態にある。
【００３０】
外枠１は、パチンコ遊技機の外形を形成すべく、略矩形状に枠組みされ金具によって補強されている。そして、この外枠１は、遊技場内に設けられる遊技島に釘や木ネジで固定される。
【００３１】
本体枠２は、円形の遊技盤面を備えた遊技盤２１を前面に保持している。また、この本体枠２は、外枠１の（パチンコ遊技機の正面から見て）左端の上下に設けたヒンジ金具１１，１１を介して、外枠１により揺動開閉自在に支持されている。
【００３２】
また、本体枠２は、その下部前面に、図示していない賞球払出装置から払い出される賞球を貯留するための上皿８ａを備えている。また、本体枠２は、上皿８ａの下部に、上皿８ａからオーバーフローした賞球（パチンコ球）を貯留するための下皿８ｂを備えている。そして、本体枠２には、上皿８ａに貯留したパチンコ球を遊技盤２１の遊技盤面へ発射するための発射ハンドル９が設けられている。更に、本体枠２には、上皿８ａの左右両側に、スピーカ１０，１０が設けられている。
【００３３】
ガラス扉３は、本体枠２の前面側に備えられている。このガラス扉３は、遊技盤２１の円形の遊技盤面が視認可能な丸窓の背後において二重の透明ガラス２２を備えている。そして、ガラス扉３は、本体枠２の左端の上下に設けられたヒンジ２３，２３を介して本体枠２に対し開閉自在に取り付けられている。
【００３４】
施錠機構４について、図４〜図６を参酌しつつ説明する。なお、図４は、施錠装置４を備えたパチンコ遊技機の縦断面図である。図５は、ガラス扉３の背面に設けられる補強板を背面側から見た斜視図である。また、図６（ａ）は、施錠機構４の正面図である。図６（ｂ）は、施錠機構４の側面図である。図６（ｃ）は、施錠機構４の背面図である。
【００３５】
施錠機構４は、本体枠２に固定される固定枠部材４１と、該固定枠部材４１の上方に移動付勢された可動部材４３と、鍵の操作に連動して可動部材４３を上下動するカム片を有するシリンダー錠４７と、本体枠２からガラス扉３を開放するのを阻止する上下一対の可動係止爪２４，２４と、本体枠２を外枠１に固定するための上下一対のロック爪２５，２５とを備えている。
【００３６】
固定枠部材４１は、平面視コの字状で縦長状に形成されている。また、固定枠部材４１には、上下方向に移動自在で、且つ所定間隔を置いて配置された２個の第１コイルバネ４２，４２が設けられている。
【００３７】
可動部材４３は、第１コイルバネ４２，４２により上方に移動付勢されている。また、可動部材４３の略中央には、シリンダー錠４７のカム片が当接されている。そして、可動部材４３の上下には、カム片を常時下方に付勢するスプリングが取り付けられている。
【００３８】
シリンダー錠４７は、表面に形成される鍵穴４７Ｎと、内面の軸部に形成される回転カム４８とを備えている。鍵穴４７Ｎは、鍵を差し込むことができるようになっている。また、回転カム４８は、鍵穴４７Ｎに差し込まれた鍵を回転させることにより、シリンダー錠４７の回転と連動して、可動部材４３を上下方向に移動させる。
【００３９】
なお、ここで使用する鍵は、図７に示すように、施錠機構４を操作すべく、従業員等が把持する操作部７１と、シリンダー錠４７の鍵穴４７Ｎに差し込まれる挿入部７２とを備えている。操作部７１は、板状に形成された鍵７の幅が広がった部分である。挿入部７２は、シリンダー錠４７の鍵穴４７Ｎに挿入可能なように幅が狭い部分である。そして、操作部７１の幅は、挿入部７２の幅より広くなっている。
【００４０】
可動係止爪２４は、本体枠２に、上方に向けて突出して形成されている。そして、可動係止爪２４は、この可動係止爪２４の爪部２４Ａ，２４Ａがガラス扉３の開放端側の上下に設けた第１係止爪３１，３１に上下方向からそれぞれ係止する。このようにして、可動係止爪２４は、本体枠２からガラス扉３が開放するのを阻止している。
【００４１】
なお、第１係止爪３１，３１は、図４及び図５に示すように、ガラス扉３の背面に設けられる金属製補強板３２の背面の左側（遊技機の背面側から見て）に溶接されるプレート板３３の上下端に備えられている。そして、第１係止爪３１，３１は、このプレート板３３に左右方向外側に延びるように形成された突出片からなっている。
【００４２】
ロック爪２５，２５は、本体枠２の開放端側に対応する外枠１側の上下に設けた第２係止爪１２，１２（図２又は図３参照）に上下方向からそれぞれ係止するようになっている。このようにして、ロック爪２５，２５は、本体枠２を外枠１に固定している。また、ロック爪２５，２５のそれぞれは、第２コイルバネ４４，４４により反時計回りに揺動付勢されている。そして、ロック爪２５，２５は、固定枠部材４１に水平軸芯Ｘ回り（時計回り）に揺動できるように構成されている。
【００４３】
施錠機構４の施錠操作及び施錠解除操作について、図６を参酌しつつ説明する。まず、図６（ａ）に示すように、固定枠部材４１の下部に設けたシリンダー錠４７に鍵を差し込む。そして、例えば、一点鎖線で示すように反時計回り（Ａ２方向）にシリンダー錠４７を回転させると、シリンダー錠４７の背面に備えた回転カム４８の上側のカム片４８Ａ（図６（ｃ）参照）が可動部材４３の上側の貫通孔４３Ａに係合し、可動部材４３を下方に移動させる。上側のカム片４８Ａが可動部材４３を下方へ移動させることにより、可動係止爪２４，２４を下方（図６（ｂ）の一点差線で示す方向）に移動させ、本体枠２に対してガラス扉３が施錠解除する。このとき、ロック爪２５，２５は、ロックされた状態を維持している。よって、本体枠２は、外枠１に対して施錠されたままとなる。
【００４４】
一方、シリンダー錠４７に鍵を差し込んで、二点鎖線で示すように時計回り（Ａ１方向）にシリンダー錠４７を回転させると、回転カム４８の下側のカム片２８Ｂが可動部材４３の下側の貫通孔４３Ｂに係合し、可動部材４３を上方に移動させる。可動部材４３が上方へ移動することにより、第２当接片４６，４６は、ロック爪２５，２５に当接してロック爪２５，２５を図６（ｂ）に示すように時計回りに揺動させる。このようにして、ロック爪２５，２５をロック解除すると、外枠１に対して本体枠２は、施錠を解除する。このとき、可動係止爪２４は、第１コイルバネ４２，４２の付勢力によりロックが維持される。そして、ガラス扉３は、再び、可動部材４３が上方へ移動して、本体枠２に対して施錠する。
【００４５】
規制部材５について、図７を参酌して説明する。なお、図７（ａ）は、規制部材５をパチンコ遊技機の正面から見た正面拡大図である。図７（ｂ）は、規制部材５を含めパチンコ遊技機の側面に沿い略シリンダー錠４７の位置で切断した側断面拡大図である。
【００４６】
規制部材５は、シリンダー錠４７の鍵穴４７Ｎに差し込まれた鍵７と係合（干渉）する係合部と、該係合部をガラス扉３に支持する支持部５２とを備えている。
【００４７】
係合部は、ダルマ形に形成された板状の規制部材本体５１と、鍵穴４７Ｎに差し込まれた鍵７の操作部７１を係止する係止部５３とを備えている。
【００４８】
規制部材本体５１は、係止部５３より一回り大きく形成された一端部を備えている。また、規制部材本体５１の外形は、その一端を円弧状に形成し、他端を一端部より径が小さい円弧状に形成されている。
【００４９】
係止部５３は、規制部材本体５１の一端部に形成されている。そして、本実施形態に係る係止部５３は、少なくとも鍵７の操作部７１の幅より遥かに小さく、且つ、鍵７の挿入部７２の幅を上回る直径を有する円形の係止孔５３１、及びその開口周縁部によって形成される。
【００５０】
すなわち、係止孔５３１は、その直径を鍵７の操作部７１の幅以下とすることで、ガラス扉３の開閉方向において鍵７の操作部７１と干渉し、操作部７１が通過できないようになっている。また、係止孔５３１は、鍵７の挿入部７２の幅を上回るの開口径を有することで、鍵７の挿入部７２を挿通することができる。よって、鍵７は、係止孔５３１に挿入したまま、回動させることもできる。
【００５１】
支持部５２は、棒状に形成された支持軸５２１と、該支持軸５２１の一端部に固定された第１抜け止め部材５２２と、支持軸５２１の他端に着脱自在に取り付けられる第２抜け止め部材５２３とを備えている。支持軸５２１は、規制部材本体５１の他端部に形成された開口に挿入されている。第１抜け止め部材５２２は、規制部材本体５１の他端部の開口より大きい面積を有する部材である。第２抜け止め部材５２３は、ガラス扉３に形成されたピン孔３４より大きい面積を有する部材である。
【００５２】
そして、支持部５２は、規制部材本体５１を回動自在に支持している。また、支持部５２は、支持軸５２１の一端に第１抜け止め部材５２２が固定されているため、規制部材本体５１が抜け落ちないようになっている。支持部５２は、支持軸５２１の他端に第２抜け止め部材５２３が取り付けることで、ガラス扉３から抜け落ちないようになっている。
【００５３】
このようにして、規制部材本体５１は、支持軸５２１を中心として取付角度を変更可能なように、ガラス扉３に回動自在に取り付けられている。そして、規制部材本体５１は、本体枠２からガラス扉３の開放を規制する第１の姿勢Ａ１と、本体枠２からガラス扉３の規制を解除し、ガラス扉３の開放を許容する第２の姿勢Ａ２との間で自由に姿勢を変更することができる。
【００５４】
ここで、第１の姿勢Ａ１とは、図７（ａ）に二点鎖線で示すように、係止孔５３１に少なくとも鍵穴４７Ｎを含むシリンダー錠４７の前面に規制部材本体５１が対向している状態を意味する。具体的には、規制部材本体５１が支持軸５２１の軸芯を支点に略下方に垂下している状態にあるときが第１の姿勢Ａ１である。
【００５５】
第２の姿勢Ａ２とは、図７（ａ）に実線で示すように、規制部材本体５１及び係止孔５３１がシリンダー錠４７の前面から退避している状態である。具体的には、規制部材本体５１が支持軸５２１の軸芯を支点に右斜め下方に向いている状態にあるときが第２の姿勢である。なお、第２の姿勢Ａ２はこの状態に限定されるものではない。すなわち、規制部材本体５１がシリンダー錠４７の鍵穴４７Ｎに差し込まれた鍵７と干渉しない位置にあれば、メンテナンス作業の邪魔にならない角度を任意に選択可能である。
【００５６】
そして、支持軸５２１は、ガラス扉３に対して、規制部材本体５１が第１の姿勢Ａ１のときに、係止孔５３１が鍵穴４７Ｎを含むシリンダー錠４７の前面に対向するような位置であって、規制部材本体５１が第２の姿勢Ａ２のときに、規制部材本体５１及び係止孔５３１がシリンダー錠４７の前面と対向しないような位置に取り付けられている。
【００５７】
また、規制部材本体５１は第１の姿勢Ａ１のとき、係止孔５３１を通じてシリンダー錠４７の鍵穴４７Ｎに鍵７が差し込まれると、その係止孔５３１が、ガラス扉３の開閉方向において鍵７の操作部７１と干渉する。すなわち、規制部材５が取り付けられるガラス扉３を開放しようとすると、規制部材本体５１が本体枠２に固定されているシリンダー錠４７の前面から離反する方向、すなわち、シリンダー錠４７の鍵穴４７Ｎに差し込まれた鍵７を引き抜く方向に向かって移動する。そして、規制部材本体５１は、鍵７の挿入部７２から操作部７１に向かって移動し、その係止孔５３１が操作部７１に当接する。このようにして、規制部材５は、ガラス扉３の開放を規制する。
【００５８】
また、規制部材本体５１は第１の姿勢Ａ１のときに、係止孔５３１がシリンダー錠４７の鍵穴４７Ｎに差し込まれた鍵７の挿入部７２とその回動方向において干渉し、支持軸５２１の軸芯を支点として規制部材本体５１の回動が規制される。
【００５９】
これらのことから、規制部材本体５１は、ガラス扉３の開閉方向において鍵７の操作部７１に係止孔５３１が掛止されると共に、その回動方向において鍵７の挿入部７２に係止孔５３１が係止されるため、ガラス扉３を無理に開放しようとすると挿入部７２に係止される自由端に力が加わり、ガラス扉３に支持される根元に、大きな曲げ応力が加わる。よって、規制部材本体５１は、ガラス扉３を開放する力によって、折れ曲がったり、破断したり、容易に変形したりしない材質（例えば、ステンレス鋼板等）で製作する必要がある。
【００６０】
また、保持手段は、本実施形態ではスプリング６で構成される。そして、このスプリング６は、支持軸５２１を内側に通すことができる大きさのコイルスプリングである例を説明する。このスプリング６は、ガラス扉３の裏面に支持軸５２１に挿通されて取り付けられている。そして、スプリング６の一端は、ガラス扉３の裏面に接触している。また、スプリング６の他端は、第２抜け止め部材５２３に接触している。
【００６１】
よって、第２抜け止め部材５２３は、スプリング６によって、遊技機の裏面方向（遊技機の正面側から背面側に向かって支持軸５２１の軸芯が移動する方向）に向かって付勢されている。また、規制部材本体５１は、スプリング６によって、ガラス扉３の前面に向かって押圧されている。
【００６２】
よって、従業員が、規制部材５を第１の姿勢Ａ１から第２の姿勢Ａ２に姿勢変更するときには、規制部材本体５１を把持し、スプリング６の弾性により生じる摩擦力に抗して、規制部材本体５１を支持軸５２１の軸芯を支点に回動させる。このようにして、規制部材４は、姿勢変更を行うことができるようになっている。
【００６３】
そして、従業員は、規制部材５が第２の姿勢Ａ２となった状態で、規制部材本体５１から手を離す。規制部材本体５１は、スプリング６の付勢力によりガラス扉３の前面に押圧されているため、第２の姿勢Ａ２にて姿勢を保持できるようになっている。
【００６４】
次に、本体枠２に対するガラス扉３の開放規制を行う操作ならびに開放規制を解除する操作について説明する。例えば、ホールの営業時間中に、ホールの従業員がパチンコ遊技機の背面や遊技島の内部をメンテナンスするために、外枠１から本体枠２を開放する場合は、従業員は、予め規制部材５を第１の姿勢Ａ１に姿勢変更するか、又は規制部材５が第１の姿勢Ａ１にあることを目視で確認する。そして、従業員は、第１の姿勢Ａ１にある規制部材５の係止孔５３１をシリンダー錠４７の鍵穴４７Ｎに合わせる。次に、鍵７の挿入部７２を係止孔５３１に挿通させ、シリンダー錠４７の鍵穴４７Ｎまで差し込む。このとき、鍵穴４７Ｎに挿入された鍵７は、挿入部７２が鍵穴４７Ｎに納まっており、操作部７１は、規制部材５の外側に位置している。そして、そのまま鍵７を時計回りに回転操作すると、外枠１から本体枠２を開錠させることができ、外枠１から本体枠２を開放させることができる。
【００６５】
しかし、鍵穴４７Ｎに鍵７を差し込んだままであれば、遊技者は、鍵７を反時計回りに回転操作することで、本体枠２からガラス扉３も開錠することができる。しかし、遊技者が開錠されたガラス扉３を開放しようとすると、ガラス扉３に取り付けられた規制部材５の係止孔５３１が本体枠２に固定されるシリンダー錠４７の鍵穴４７Ｎに差し込まれたままの鍵７の操作部７１と干渉して、ガラス扉３は、本体枠２に対して開放することができないようになっている。
【００６６】
また、ホールの営業時間中あるいは営業時間終了後に、従業員が本体枠２の遊技盤２１の遊技盤面をメンテナンス作業するために、本体枠２からガラス扉３を開放しなければならないときは、従業員は、まず規制部材５を第２の姿勢Ａ２に姿勢変更させる。すなわち、このようにすることによって、従業員は、鍵７をシリンダー錠４７の鍵穴４７Ｎに直接差し込むことができる。このとき、鍵穴４７Ｎに挿入された鍵７は、挿入部７２が鍵穴４７Ｎに納まっており、規制部材５の係止孔５３１には挿入部７２が挿通されていない。そして、従業員は、鍵７を反時計回りに回転操作すると、本体枠２からガラス扉３を開錠させ、本体枠２からガラス扉３を開放させることができる。また、従業員は、鍵７を時計回りに回転操作すると、外枠１から本体枠２を開錠させ、外枠１から本体枠２を開放させることができる。
【００６７】
このように、同実施形態に係るパチンコ遊技機は、規制部材５を第１の姿勢Ａ１に位置させた状態で、鍵７を鍵穴４７Ｎに挿入して施錠機構４を操作する場合は、ガラス扉３に取り付けられた規制部材５が、鍵穴４７Ｎに差し込まれる鍵７とガラス扉３の開閉方向において係合（干渉）することにより、本体枠２からガラス扉３の開放を規制することができる。
【００６８】
すなわち、従業員が遊技機の背面や遊技島等のメンテナンス作業を行うときには、規制部材５を第１の姿勢Ａ１に姿勢変更し、その後、鍵穴４７Ｎに鍵を差し込むだけで、遊技者が鍵穴４７Ｎに差し込んだままの鍵７を不正に操作して、ガラス扉３が開放されることを未然に防止することができる。
【００６９】
また、規制部材５を第２の姿勢Ａ２に位置させた状態にて従業員が鍵穴４７Nに鍵７を挿入し、施錠機構４を操作することによって、本体枠２からガラス扉３の規制を解除し、本体枠２からガラス扉３を開放することができる。このようにして、従業員がガラス扉３を開閉操作するときに、規制部材５を第２の姿勢Ａ２に姿勢変更するだけで、鍵穴４７Ｎに鍵７を挿入したままガラス扉３を自由に開閉することができる。
【００７０】
よって、規制部材５は、本体枠２に対してガラス扉３の開閉を規制する規制状態と、本体枠２に対してガラス扉３の開閉を許容し、規制が解除される規制解除状態とを切り替えることができる。
【００７１】
次に、本発明に係るパチンコ遊技機の第２実施形態について、図８を参酌しつつ説明する。なお、図８（ａ）は、規制部材をパチンコ遊技機の正面から見た正面拡大図である。図８（ｂ）は、規制部材をパチンコ遊技機の側面で切った断面拡大図である。また、同実施形態に係るパチンコ遊技機は、第１実施形態に係るパチンコ遊技機と同様の部分について、同一の符号を使用すると共に、その部分の説明を省略する。同実施形態に係るパチンコ遊技機は、第１実施形態に係るパチンコ遊技機の規制部材を他の規制部材に変更したパチンコ遊技機の一例であるため、以下、規制部材を中心に説明する。
【００７２】
＜第２実施形態＞
同実施形態に係る規制部材５ａは、支持軸５２１を本体枠２の前面にて保持することで規制部材本体５１を回動可能に取り付けた構成を備えている。また、係止孔５３１ａは、少なくとも鍵７の挿入部７２の幅以上の大きさの直径を有する開口であればよい。このように、本実施形態に係る係止孔５３１ａは、第１実施形態と異なり、必ずしも鍵７の操作部７１の幅を直径とする開口以下である必要はないが、あまり大きくし過ぎると旋回方向の自由度が大きすぎて規制部材としての機能を果たせないため、鍵７の挿入部７２の幅よりやや大きい程度が好ましい。
【００７３】
上記の規制部材本体５１ａは、本体枠２からガラス扉３の開放を規制する第１の姿勢Ａ１と、本体枠２からガラス扉３の開放規制を解除し、ガラス扉３の開放を許容する第２の姿勢Ａ２とに姿勢を変更することができるように、本体枠２に対して回動可能に取り付けられている。
【００７４】
ここで、本実施形態に係る第１の姿勢Ａ１とは、図８（ａ）に二点鎖線で示すように、係止孔５３１ａに少なくとも鍵穴４７Ｎを含むシリンダー錠４７の前面に規制部材本体５１が対向している状態である。具体的には、規制部材本体５１が支持軸５２１の軸芯を支点に略左上方に向いている状態にあるときが第１の姿勢Ａ１である。
【００７５】
第２の姿勢Ａ２は、図８（ａ）に実線で示すように、規制部材本体５１及び係止孔５３１ａがシリンダー錠４７の前面を避けている状態である。具体的には、規制部材本体５１が支持軸５２１の軸芯を支点に右斜め上方に向いた状態にあるときが第２の姿勢Ａ２である。ただし、第２の姿勢Ａ２は、別段、この状態に限定されるものではない。すなわち、規制部材本体５１がシリンダー錠４７の鍵穴４７Ｎに差し込まれた鍵７の操作部７１と干渉しない退避位置であれば、メンテナンス作業の邪魔にならない角度を任意に選択可能である。
【００７６】
次に、本体枠２からのガラス扉３の開放を規制及び規制解除する操作について説明する。
例えば、ホールの営業時間中に、ホールの従業員が外枠１から本体枠２を開放し、遊技機の背面や遊技島の内部のメンテナンスをしなければならないとき、まず、従業員は、規制部材５ａを第１の姿勢Ａ１に姿勢変更させる。そして、姿勢変更した規制部材５ａの係止孔５３１ａにシリンダー錠４７の鍵穴４７Ｎを合わせる。次に、鍵７の挿入部７２を係止孔５３１ａに挿通させ、シリンダー錠４７の鍵穴４７Ｎまで差し込む。そして、鍵７を時計回りに回転操作すると、通常の通り外枠１と本体枠２との間の施錠を開錠させることができ、本体枠２を外枠１から前方へ開放させることができる。
【００７７】
しかし、鍵穴４７Ｎに鍵７を差し込んだままであれば、遊技者は、鍵７を反時計回りに回転操作することで、本体枠２からガラス扉３も開錠することができる。しかし、遊技者が開錠されたガラス扉３を開放しようとすると、ガラス扉３が本体枠２に取り付けられた規制部材本体５１とガラス扉３の開閉方向において干渉して、ガラス扉３は、本体枠２に対して開放することができないようになっている。
【００７８】
また、規制部材本体５１は、シリンダー錠４７の鍵穴４７Ｎに差し込まれたままの鍵７に係止孔５３１ａを挿入させているため、係止孔５３１ａと干渉して第１の姿勢Ａ１から第２の姿勢Ａ２へと姿勢変更することができないようになっている。
【００７９】
一方、ホールの営業時間中または営業時間外に、本体枠２からガラス扉３を開放しなければならない場合は、まず、従業員は、規制部材５ａを第２の姿勢Ａ２に姿勢変更させる。なお、このようにすることによって、従業員は、規制部材５ａの係止孔５３１ａを介することなく鍵７をシリンダー錠４７の鍵穴４７Ｎに直接差し込むことができる。そして、従業員は、鍵７を反時計回りに回転操作すると、本体枠２からガラス扉３が開錠され、本体枠２からガラス扉３が開放されるようになっている。また、従業員は、鍵７を時計回りに回転操作すると、外枠１から本体枠２を開錠させ、外枠１から本体枠２を開放させることができる。
【００８０】
このように、同実施形態に係るパチンコ遊技機は、規制部材５ａが第１の姿勢Ａ１に位置するときに施錠機構４を操作することによって、従業員が本体枠２からガラス扉３を開錠したとしても、本体枠２に取り付けられた規制部材５ａは、ガラス扉３に係合（干渉）することにより、本体枠２からガラス扉３の開放を規制することができる。このようにして、従業員が鍵穴４７Ｎに鍵を差し込んだまま、遊技機の背面等のメンテナンス作業を行うとき、規制部材５ａを第１の姿勢Ａ１に姿勢変更するだけで、鍵穴４７Ｎに差し込まれたままの鍵７を遊技者が操作して、ガラス扉３を不正に開放されることを防止することができる。
【００８１】
また、規制部材５ａが第２の姿勢Ａ２に位置しているときに従業員が鍵穴４７Ｎに鍵を差し込んで施錠機構４を操作することによって、本体枠２からガラス扉３の規制を解除し、本体枠２からガラス扉３を前方へ開放することができる。このようにして、従業員がガラス扉３を開閉操作するときに、規制部材５ａを第２の姿勢Ａ２に姿勢変更するだけで、鍵穴４７Ｎに鍵７を挿入したままガラス扉３を自由に開閉することができる。
【００８２】
よって、規制部材５ａは、本体枠２に対してガラス扉３の開閉を規制する規制状態と、本体枠２に対してガラス扉３の開閉を許容し、規制が解除される規制解除状態とを切り替えることができる。
【００８３】
次に、本発明に係るパチンコ遊技機の第３実施形態について、図９（ａ）を参酌しつつ、説明する。なお、図９（ａ）は、規制部材をパチンコ遊技機の正面から見た正面拡大図である。また、同実施形態に係るパチンコ遊技機は、第１実施形態に係るパチンコ遊技機と同様の部分について、同一の符号を使用すると共に、その部分の説明を省略する。同実施形態に係るパチンコ遊技機は、第１又は第２実施形態に係るパチンコ遊技機の規制部材を他の規制部材に変更したパチンコ遊技機の一例であるため、以下、発明の要部である規制部材を中心に説明する。
【００８４】
＜第３実施形態＞
同実施形態に係る規制部材５ｂの係合部は、規制部材本体５１ｂが第１の姿勢Ａ１のときに鍵穴４７Ｎに差し込まれた鍵７の挿入部７２の周囲の略半周を囲む形状、すなわち、規制部材本体５１ｂの先端側に半円形の切り欠き部５３１ｂを形成することで構成される。
【００８５】
該切り欠き部５３１ｂは、鍵７の操作部７１の幅より遥かに小さい直径を有し、かつ、鍵７の挿入部７２の幅を上回る大きさの半円に相当し、支持軸５２１の軸芯に対し直角方向に突出している。そして、切り欠き部５３１ｂは、第１実施形態と同様に鍵７の操作部７１に縁が干渉することで掛止されるようになっている。
【００８６】
このような規制部材５ｂであっても、第１実施形態と同様に、規制部材５ｂが第１の姿勢Ａ１に姿勢変更されているときに鍵穴４７Ｎに鍵７が差し込まれることによって、本体枠２からガラス扉３の開放を規制することができる。一方、規制部材５ｂが第２の姿勢Ａ２に姿勢変更されているときに鍵穴４７Ｎに鍵７が差し込まれると、従業員が本体枠２からガラス扉３の規制を解除し、本体枠２からガラス扉３を開放することができる。
【００８７】
このようにして、規制部材５ｂは本体枠２に対してガラス扉３の開閉を規制する規制状態と、本体枠２に対してガラス扉３の開閉を許容し、規制が解除される規制解除状態とを切り替えることができる。
【００８８】
次に、本発明に係るパチンコ遊技機の第４実施形態について、図９（ｂ）を参酌しつつ、説明する。なお、図９（ｂ）は、規制部材をパチンコ遊技機の正面から見た正面拡大図である。また、同実施形態に係るパチンコ遊技機は、第１及び第２実施形態に係るパチンコ遊技機と同様の部分について、同一の符号を使用すると共に、その部分の説明を省略する。同実施形態に係るパチンコ遊技機は、第１〜第３実施形態に係るパチンコ遊技機の規制部材を他の規制部材に変更したパチンコ遊技機の一例であるため、以下、発明の要部である規制部材を中心に説明する。
【００８９】
＜第４実施形態＞
同実施形態に係る規制部材５ｃの係止部は、規制部材本体５１ｃが第１の姿勢Ａ１のときに支持軸５２１から鍵穴４７Ｎに差し込まれた鍵７の挿入部７２の略半周を囲むように規制部材本体５１ｂを右側から半円形に切り欠いた切り欠き部５３１ｃで構成される。
【００９０】
該切り欠き部５３１ｃは、鍵７の挿入部７２の幅を上回る直径の半円径に相当し、支持軸５２１の軸芯に対して直角方向に突出し、鍵７の挿入部７２に沿って曲がっている。そして、切り欠き部５３１ｃは、第２実施形態と同様に鍵７の挿入部７２に縁が干渉することで係合されるようになっている。
【００９１】
このような規制部材５ｃであっても、第２実施形態と同様に、規制部材５ｃが第１の姿勢Ａ１に姿勢変更されているときに鍵穴４７Ｎに鍵７が差し込まれることによって、本体枠２からガラス扉３の開放を規制することができる。一方、規制部材５ｃが第２の姿勢Ａ２に姿勢変更されているときに鍵穴４７Ｎに鍵７が差し込まれると、従業員が本体枠２からガラス扉３の規制を解除し、本体枠２からガラス扉３を開放することができる。
【００９２】
このようにして、規制部材５ｃは本体枠２に対してガラス扉３の開閉を規制する規制状態と、本体枠２に対してガラス扉３の開閉を許容し、規制が解除される規制解除状態とを切り替えることができる。
【００９３】
なお、本発明に係るパチンコ遊技機は、上記した実施の形態に限定されるものではなく、本発明の要旨を逸脱しない範囲内において種々変更を加え得ることは勿論である。
【００９４】
上記実施形態に係るパチンコ遊技機は、保持手段がスプリング８により規制部材本体５１，５１ａ，５１ｂ，５１ｃを第１の姿勢Ａ１に保持するようにした例を説明したが、これに限定されるものではない。例えば、図１０に示すように、規制部材本体５１に磁石６１ｄを埋め込み、ガラス扉３の前面にマグネットシート６２ｄを貼付するようにした保持手段であってもよい。このような保持手段によれば、規制部材本体５１ｄに埋め込まれた磁石６１ｄとガラス扉３に貼付したマグネットシート６２ｄが磁力で引き合い、規制部材本体５１ｄを任意の姿勢に保持することができる。そして、磁力で規制部材本体５１の姿勢を保持しているため、従業員によって容易に規制部材本体５１をガラス扉３から引き離すことができ、規制部材本体５１の姿勢を容易に変更することができる。
【００９５】
上記第１及び第３実施形態に係るパチンコ遊技機は、係合部が鍵７の操作部７１に対して２箇所で掛止される例を説明したが、これに限定されるものではない。例えば、係合部は、規制部材本体が第１の姿勢のときに、規制部材本体が支持軸から軸芯に対して直角方向に突出する突出部であってもよい。このような突出部であっても、第１及び第３実施形態の係合部と同様に、鍵の操作部の１箇所で掛止されることができる。
【００９６】
上記実施形態に係るパチンコ遊技機は、係合部が鍵７の挿入部７２に対して２箇所で係合される例を説明したが、これに限定されるものではない。例えば、係合部は、規制部材本体が第１の姿勢のときに、規制部材本体が支持軸から軸芯に対して直角方向に突出する突出部であってもよい。このような突出部であっても、上記実施形態の係合部と同様に、鍵の挿入部の１箇所で係合されることができる。
【００９７】
上記実施形態に係るパチンコ遊技機は、支持部が規制部材本体５１及びガラス扉３に対して回動自在に取り付けられる例を説明したが、これに限定されるものではない。例えば、支持部は、規制部材本体５１を回動自在に取り付けておれば、ガラス扉３には固定されていてもよい。また、支持部は、ガラス扉３に回動自在に取り付けられておれば、規制部材本体５１を固定していてもよい。
【００９８】
上記実施形態に係るパチンコ遊技機は、規制部材本体５１をガラス扉３または本体枠２の前面に対して回動可能に枢支し、これをガラス扉の開放を規制する第１の姿勢、ガラス扉の開放を許容する第２の姿勢との間で角度変更させる例を示したが、規制部材本体５１は別段、回動方式のものに限定されるものではない。例えば、長さのある規制部材本体をガラス扉３あるいは本体枠２に対して遊技機の前面と平行して直線的にスライド可能に取付け、規制部材本体に形成した係止部が、施錠機構の鍵穴の前方に対向したり、鍵穴の前方から退避したりできるよう設計変更すれば、同様な機能を発揮させることができる。
【００９９】
更には、ガラス扉３または本体枠２の前面に対して規制部材本体を遊技機の前面と平行する支軸により起倒可能に取付け、規制部材本体に形成した係止部を、施錠機構の鍵穴の前方に対向する第１の姿勢と、鍵穴の前方から退避する第２の姿勢との間で姿勢変更可能に構成することもできる。このように規制部材の構成はガラス扉の形状や本体枠の形状に応じて適宜、設計変更が可能である。
【符号の説明】
【０１００】
１…外枠、１１…ヒンジ金具、１２…第２係止爪、２…本体枠、２１…遊技盤、２２…透明ガラス、２３…ヒンジ、２４…可動係止爪、２４Ａ…爪部、２５…ロック爪、３…ガラス扉、３１…第１係止爪、３２…補強板、３３…プレート板、３４…ピン孔、４…施錠機構、４１…固定枠部材、４２…第１コイルバネ、４３…可動部材、４３Ａ，４３Ｂ…貫通孔、４４…第２コイルバネ、４６…第２当接片、４７…シリンダー錠、４７Ｎ…鍵穴、４８…回転カム、４８Ａ，４８Ｂ…カム片、５，５ａ，５ｃ，５ｂ，５ｄ…規制部材、５１…規制部材本体、５２…支持部、５２１…支持軸、５２２…第１抜け止め部材、５２３…第２抜け止め部材、５３，５３ａ…係止部、５３１，５３１ａ…係止孔、５３１ｂ，５３１ｃ…切り欠き部、６…スプリング（保持手段）、６１ｄ…磁石、６２ｄ…マグネットシート、７…鍵、７１…操作部、７２…挿入部、８ａ…上皿、８ｂ…下皿、９…発射ハンドル、１０…スピーカ、Ａ１…第１の姿勢、Ａ２…第２の姿勢。
【図１】
0005386304.tif 000002
【図２】
0005386304.tif 000003
【図３】
0005386304.tif 000004
【図４】
0005386304.tif 000005
【図５】
0005386304.tif 000006
【図６】
0005386304.tif 000007
【図７】
0005386304.tif 000008
【図８】
0005386304.tif 000009
【図９】
0005386304.tif 000010
【図１０】
0005386304.tif 000011